(57)【要約】【課題】本発明は、表示モジュールをより小さくする携帯端末を提供することを目的とする。【解決手段】発光する素子のドット組み合わせで、文字、図形を表示する携帯端末の表示装置において、光を通過させる光透過部と発光素子とを有する第１の表示モジュールと、第１の表示モジュールと重ね合わせ配置され、第１の表示モジュールの光透過部に対応する位置に発光素子を搭載する第２の表示モジュールと、第１の表示モジュールの発光と第２の表示モジュールの発光により形成された表示パターンを透過する表示パネルとを有することを特徴とする携帯端末の表示装置。【選択図】図２
2008026385.tif 000002
【特許請求の範囲】
【請求項１】
発光素子のドット組み合わせで、文字、図形を表示する携帯端末の表示装置において、
光を通過させる光透過部と発光素子とを有する第１の表示モジュールと、
第１の表示モジュールと重ね合わせ配置され、第１の表示モジュールの光透過部に対応する位置に発光素子を搭載する第２の表示モジュールと、
第１の表示モジュールの発光と第２の表示モジュールの発光により形成された表示パターンを透過する表示パネルとを有することを特徴とする携帯端末の表示装置。
【請求項２】
光を通過させる光透過部と発光素子の構成が異なる複数の第１の表示モジュールを重ね合わせて配置することを特徴とする携帯端末の表示装置。
【請求項３】
表示モジュール間に各表示モジュールを固定するためのスペーサを設け、スペーサが遮光材であることを特徴とする請求項１ないし請求項２記載の携帯端末の表示装置。
【請求項４】
表示パネルからの距離に対応して表示モジュールの発光素子の輝度を変更することを特徴とする請求項１ないし請求項３記載の携帯端末の表示装置。
【請求項５】
複数の表示モジュール間を接続する接続部を有するシート状の基材を有し、接続部を折り畳みことにより各表示モジュールが重ね合わせ配置され、各表示モジュールの光透過部に対応する位置に他の表示モジュールの発光素子が配置される構造であることを特徴とする請求項１ないし請求項２記載の携帯端末の表示装置。
【発明の詳細な説明】
【技術分野】
【０００１】
本発明は携帯端末の表示装置の構造に関する。
【背景技術】
【０００２】
通常の折り畳み型の携帯電話では、折畳んだときの外部の表示画面は、面積の大きい部位に配置されていた。図９に従来の折畳み型の携帯電話の外観図を示す。折り畳み型携帯電話機１０１は、前面の表示パネル１１１と、表示パネル１１１に文字等を表示するための表示素子が搭載された表示基板１１２と、液晶パネル及びスピーカが配してある液晶パネル側筐体１１３と操作キー及びマイクが配してある操作キー側筐体１１４とがヒンジ１１５で結合された構成を有する。
【０００３】
近年、携帯電話では、装置の小型、薄型化が行なわれており、その装置に使用する表示パネル１１１、表示基板１１２も小型化が要求されている。
【０００４】
そのため、例えば表示基板の両面に発光素子を搭載することで、表示ユニットの小型化を図るものも提案されている (特許文献１)。
【特許文献１】特開平９−２７０５３１号公報（第５頁段落００３４、図１）
【発明の開示】
【発明が解決しようとする課題】
【０００５】
発光素子を基板の両面に搭載することで、表示ユニットを小型化することは可能である。
【０００６】
しかし、複数の発光素子を基板上に搭載するには、製造上の条件からの発光素子間の距離上の制限、また発光素子そのものの大きさの制限により、表示装置を小さくするには限界があった。
【０００７】
本発明は、表示装置をより小さくした携帯端末の表示装置を提供することを目的とする。
【課題を解決するための手段】
【０００８】
本願発明の携帯端末の表示装置は、発光素子のドット組み合わせで、文字、図形を表示する携帯端末の表示装置において、光を通過させる光透過部と発光素子とを有する第１の表示モジュールと、第１の表示モジュールと重ね合わせ配置され、第１の表示モジュールの光透過部に対応する位置に発光素子を搭載する第２の表示モジュールと、第１の表示モジュールの発光と第２の表示モジュールの発光により形成された表示パターンを透過する表示パネルとを有する構成である。
【０００９】
光透過部を表示モジュールに形成することで、発光素子間の距離を縮めることが出来るので、表示装置を小さくできる。
【００１０】
また、本願発明の携帯端末の表示装置は、光を通過させる光透過部と発光素子の構成が異なる複数の第１の表示モジュールを重ね合わせて配置する構成である。
【００１１】
光透過部および発光素子の配置、個数が異なる構成の第１の表示モジュールを複数枚重ね合わせることで、さらに発光素子間の距離を縮めることが出来るので、表示装置をさらに小さくできる。
【００１２】
また、本願発明の携帯端末の表示装置は、表示モジュール間に各表示モジュールを固定するためのスペーサを設け、スペーサが遮光材である構成である。
【００１３】
スペーサとして遮光材を用いることで、発光素子間の光の干渉を防止している。
【００１４】
また、本願発明の携帯端末の表示装置は、表示パネルからの距離に対応して表示モジュールの発光素子の輝度を変更する構成である。
【００１５】
この構成により表示パネルの位置での各発光素子の光の輝度を同一とすることができる。
【００１６】
また、本願発明の携帯端末の表示装置は、複数の表示モジュール間を接続する接続部を有するシート状の基材を有し、接続部を折り畳みことにより各表示モジュールが重ね合わせ配置され、各表示モジュールの光透過部に対応する位置に他の表示モジュールの発光素子が配置される構造である。
【００１７】
この構造により、フレキシブルなシート基板を用いるので、製造が容易となる。
【発明の効果】
【００１８】
本発明により、表示モジュールの距離をより小さく設定できるため、今まで表示が不可能であった箇所にも発光表示が可能とする。
【発明を実施するための最良の形態】
【００１９】
（実施例１）
図１に、折畳んだ状態の携帯電話の外観図を示す。
【００２０】
折り畳み型携帯電話１は、表示ユニット２を構成する前面の表示パネル１１、表示パネル１１に文字等を表示するための発光素子が搭載された表示モジュール１２と、液晶パネル及びスピーカが配してある表示ユニット側筐体１３と、操作キー及びマイクが配してある操作キー側筐体１４と、両筐体を結合するヒンジ１５とを有する構成である。
【００２１】
図２に表示モジュールの構造を示す。
【００２２】
表示ユニット２は、表示パネル１１と表示モジュール１２が搭載されている。
【００２３】
表示パネル１１は、発光素子の光が通過する複数の光透過孔を有するパネルである。
【００２４】
図２（ｂ）に示すように、例えば光透過孔を７つ有するセブンセグメントが複数集合したパネルである。この例の場合には、時刻表示等の数字表示が可能である。
【００２５】
表示モジュール１２は、第１のモジュール２１と第２のモジュール２２とを有する。
【００２６】
図２（ａ）に示すように、第１のモジュール２１から発光している光と第１のモジュール２１を透過している光は、表示パネル１１の光透過孔を通過して、例えば数字の３を表示する。
【００２７】
図３に第１のモジュールと第２のモジュールの説明図を示す。
【００２８】
第１のモジュール２１は、表示用基板に発光素子３１〜３４を搭載するとともに、光が透過する光透過孔４１〜４３を形成したものである。光透過孔４１〜４３は、第２モジュールの発光素子３５〜３７の光を透過させるためのスリットである。発光素子は、例えば発光ダイオードである。
【００２９】
第２モジュール２２は、表示用基板に発光素子３５〜３７を搭載したものである。光を透過するための光透過孔は設けていない。
【００３０】
また、第１のモジュール２１と重ね合わせ配置され、第１のモジュール２１の光透過孔４１〜４３の搭載位置に対応する位置に発光素子３５〜３７を搭載する配置である。
【００３１】
すなわち、発光素子３５の光は、光透過孔４１に透過し、発光素子３６の光は、光透過孔４２に透過し、発光素子３７の光は、光透過孔４３に透過するように、重ねられる。この結果、第２のモジュール２２の発光素子の光は、第１のモジュール２１の光透過孔を透過して矢印の方向に、第１のモジュール２１の発光素子の光とともに、表示パネル１１に向けて放射される。
【００３２】
図４に表示パネルの縮小化の説明図を示す。
【００３３】
図３の構成例で説明を行う。
【００３４】
第１のモジュール２１の基板上における発光素子３１〜３４と光透過孔４１〜４３の占める領域が基板全体の中で縮小化されることで、それらに対応する表示パネル１１の縮小化を実現できる。
【００３５】
従来の第１のモジュール２１の基板上の配列を図４（ａ）に示す。発光素子３１〜３７間は、発光素子の大きさ、素子間ピッチ等により、所定の間隔Ｌ以上が要求される。従って、発光素子３１〜３７間の距離Ｘ、Ｙ、Ｚは、距離Ｌ以上の距離が要求されるため、その距離以下に対応する表示パネル１１を設計することはできない。
【００３６】
そのため、図４（ｂ）に示す実施例では、光透過孔４１〜４３を設けている。この結果、第１のモジュール２１の光透過孔４１〜４３と発光素子３１〜３４間の距離Ａは、発光素子３１〜３４間の製造条件を受けないので、Ｌ以下の距離に設計できる。この結果、図４（ｂ）に示す横方向Ｗの寸法を小さくできる。また、光透過孔４１〜４３の大きさは、発光素子の透過しうる範囲で発光素子の部品そのものの大きさより小さくすることは可能であるため、表示パネル１１の図４（ｂ）に示す縦方向Ｈも小さくできる。但し、発光素子３１と３２、発光素子３３と３４間の距離Ｂ、光透過孔４１と４２、光透過孔４２と４３間の距離Ｃは、従来のように距離Ｌまでしか小さくできない。
【００３７】
この結果、表示パネル１１全体としては、縮小化を実現できる。
【００３８】
図４（ｂ）では、縦方向の発光素子の配列を光透過孔に変更したが、横方向の発光素子を光透過孔にすることで、表示パネル１１の縦方向の寸法を縮小することに有効なため、これらを組合せることで、さらに表示パネル全体を縮小化できる。
【００３９】
図５にスペーサの説明図を示す。
【００４０】
第１のモジュール２１と第２のモジュール２２の重ね合わせは、第１のモジュール２１と第２のモジュール２２の隙間にスペーサ６１を入れて固定している。
【００４１】
スペーサ６１は、遮光の機能を有する弾性あるゴム材を用いる。この結果、スペーサ６１は、第１のモジュール２１と第２のモジュール２２の弾性あるスペーサとしての役割を有することで、固定を容易にするとともに、発光素子３５〜３７の放射が相互に干渉することを防止している。
【００４２】
また、表示パネル１１と第１のモジュール２１についても、同じスペーサ６１を用いている。  第１のモジュール２１の発光素子３１〜３４および、光透過孔４１〜４３を透過してくる第２のモジュール２２の発光素子３５〜３７の光は、スペーサ６１により相互の干渉が無いようにして、表示パネル１１に入光するようにしている。
【００４３】
また、図示していないが、発光素子３１〜３７について、導光板を用いて、表示パネル１１に入光するようにすることもできる。
【００４４】
図６に第１のモジュールと第２のモジュールの別の実施形態の説明図を示す。
【００４５】
第１のモジュール２１は、モジュール２１１とモジュール２１２から構成される。
【００４６】
モジュール２１１は、発光素子３１〜３２を搭載し、光が透過する光透過孔４１〜４５を形成したものである。
【００４７】
モジュール２１２は、発光素子３５〜３７と光透過孔４６〜４７を形成したものである。
【００４８】
第２のモジュール２２は、発光素子３３〜３４を搭載したものである。
【００４９】
そして、モジュール２１１の発光素子の搭載面と反対側にモジュール２１２の発光素子搭載面を重ね合わせ、モジュール２１２の発光素子の搭載面と反対側に第２のモジュール２２の発光素子搭載面を重ね合わせる。
【００５０】
この結果、第２のモジュールの発光素子３３〜３４の光は、モジュール２１２の光透過孔４６，４７およびモジュール２１１の光透過孔４４，４５を透過して表示パネル１１に入力する。モジュール２１２の発光素子３５〜３７の光は、モジュール２１１の光透過孔４１〜４３を透過して表示パネル１１に入力する。また、モジュール２１１の発光素子３１〜３２の光は、表示パネル１１に入力する。モジュール間のスペーサ６１については、図示しないが、図３に示すモジュール構成のときと同様な方法で搭載する。
【００５１】
図７に発光素子の制御の説明図を示す。
【００５２】
第１のモジュール２１の発光素子３１〜３３は、３．３Ｖを抵抗経由で付加されている。そして、スイッチにて個別に点滅を制御する。また輝度の調整は、抵抗を可変することで、制御を行う。
【００５３】
第２のモジュール２２の発光素子３４〜３５は、３．３Ｖを抵抗経由で付加されている。そして、スイッチ４２にて個別に点滅を制御される。また輝度の調整は、抵抗を可変することで、制御を行う。
【００５４】
この結果、第１のモジュール２１の輝度については抵抗を変化させて、第２のモジュール２２の発光素子に流れる電流より小さくすることで、第１のモジュール２１の第２のモジュール２２の輝度より暗くすることができる。
【００５５】
この結果、表示パネル１１にてユーザが視認するときに、第１のモジュール２１の発光素子３１〜３４と第２のモジュール２２の発光素子３５〜３７の明るさが表示パネル１１の位置にて同一とする調整を予め行うことができる。輝度は、距離の２乗に反比例するため、第１のモジュール２１と第２のモジュール２２からの光の明るさが表示パネル１１に届くときに異なるためである。
【００５６】
また、発光素子の点灯、滅灯は、図示せぬ携帯電話の制御部により、制御されている。
【００５７】
図８にフレキシブルプリント基板の説明図を示す。
【００５８】
表示モジュール１２の基板として、フレキシブルプリント基板を用いる例を示す。
【００５９】
図８（ａ）は、折畳む前のフレキシブルプリント基板の状態を示す。表示モジュール１２のフレキシブルプリント基板を２つの島Ａと島Ｂとに分割し、その間を接続部６２で構成している。
【００６０】
図３に示す例と同様な構成である。すなわち、島Ａは、第１のモジュール２１に相当する。島Ｂは、第２のモジュール２２に相当する。島Ａには、発光素子３１〜３４が搭載され、光透過孔４１〜４３がある。また、島Ｂには、発光素子３５〜３７が搭載されている。
【００６１】
そして、第２のモジュール２２の発光素子３５〜３７が第１のモジュール２１の光透過孔４１〜４３に重ね合わせるように、折り曲げて固定する。
【００６２】
図８（ｂ）が折畳んだ結果である。このような構成にすることで、各基板への電源配線等のコネクタが１箇所の配線となり、また、２基板ではなく、１基板の製造で済むため、製造が簡単となるメリットがある。
【００６３】
以上の実施形態に関し、更に以下の付記を開示する。
（付記１）発光素子のドット組み合わせで、文字、図形を表示する携帯端末の表示装置において、光を通過させる光透過部と発光素子とを有する第１の表示モジュールと、第１の表示モジュールと重ね合わせ配置され、第１の表示モジュールの光透過部に対応する位置に発光素子を搭載する第２の表示モジュールと、第１の表示モジュールの発光と第２の表示モジュールの発光により形成された表示パターンを透過する表示パネルとを有することを特徴とする携帯端末の表示装置。
（付記２）光を通過させる光透過部と発光素子の構成が異なる複数の第１の表示モジュールを重ね合わせて配置することを特徴とする付記１記載の携帯端末の表示装置。
（付記３）表示モジュール間に各表示モジュールを固定するためのスペーサを設け、スペーサが遮光材であることを特徴とする付記１ないし付記２記載の携帯端末の表示装置。
（付記４）表示パネルからの距離に対応して表示モジュールの発光素子の輝度を変更することを特徴とする付記１ないし付記３記載の携帯端末の表示装置。
（付記５）複数の表示モジュール間を接続する接続部を有するシート状の基材を有し、接続部を折り畳みことにより各表示モジュールが重ね合わせ配置され、各表示モジュールの光透過部に対応する位置に他の表示モジュールの発光素子が配置される構造であることを特徴とする付記１ないし付記２記載の携帯端末の表示装置。
（付記６）
表示モジュールと表示モジュールとの間に、表示モジュール間を固定する部材を設け、前記部材が弾性を持つ部材であることを特徴とする付記３記載の携帯端末の表示装置。
（付記７）
表示パネルからの距離が遠いほどに表示モジュールの発光素子の輝度が大きいことを特徴とする付記４記載の携帯端末の表示装置。
【図面の簡単な説明】
【００６４】
【図１】折畳んだ状態の携帯電話の外観図
【図２】表示モジュールの構造
【図３】第１のモジュールと第２のモジュールの説明図
【図４】表示パネルの縮小化の説明図
【図５】スペーサの説明図
【図６】第１のモジュールと第２のモジュールの別の実施形態の説明図
【図７】発光素子の制御の説明図
【図８】フレキシブルプリント基板の説明図
【図９】従来の折畳み型の携帯電話の外観図
【符号の説明】
【００６５】
１        折り畳み型携帯電話
２        表示ユニット
１１        表示パネル
１２        表示モジュール
１３        表示ユニット側筐体
１４        操作キー側筐体
１５        ヒンジ
２１、２１１、２１２  第１モジュール  
２２        第２モジュール
２３        第３モジュール
３１〜３７  発光素子
４１〜４７  光透過孔
５１〜５２  スイッチ
６１        スペーサ
６２        接続部
【図１】
2008026385.tif 000003
【図２】
2008026385.tif 000004
【図３】
2008026385.tif 000005
【図４】
2008026385.tif 000006
【図５】
2008026385.tif 000007
【図６】
2008026385.tif 000008
【図７】
2008026385.tif 000009
【図８】
2008026385.tif 000010
【図９】
2008026385.tif 000011